(57)【要約】【課題】鏡面研磨工程によってシリコンウエーハにＰＩＤが発生するのを防ぐことができ、鏡面研磨工程後のシリコンウエーハや、後工程でエピタキシャル層を積層したエピタキシャルウエーハの表面品質の悪化を防ぐことができるシリコンウエーハの研磨方法およびエピタキシャルウエーハの製造方法を提供する。【解決手段】シリコンウエーハに鏡面研磨工程を施すシリコンウエーハの研磨方法であって、前記鏡面研磨工程において、前記シリコンウエーハに粗研磨を行い、その後、シリコンウエーハの表面に対して、オゾンガスまたはオゾン水を用いた酸化処理およびフッ酸蒸気またはフッ酸水溶液を用いた酸化膜除去処理によって、シリコンウエーハの表面に付着している金属不純物を除去する処理を行ってから、仕上げ研磨を行うシリコンウエーハの研磨方法。【選択図】図１
2014212213.tif 000002
【特許請求の範囲】
【請求項１】
シリコンウエーハに鏡面研磨工程を施すシリコンウエーハの研磨方法であって、
前記鏡面研磨工程において、前記シリコンウエーハに粗研磨を行い、その後、シリコンウエーハの表面に対して、
オゾンガスまたはオゾン水を用いた酸化処理およびフッ酸蒸気またはフッ酸水溶液を用いた酸化膜除去処理によって、シリコンウエーハの表面に付着している金属不純物を除去する処理を行ってから、仕上げ研磨を行うことを特徴とするシリコンウエーハの研磨方法。
【請求項２】
前記金属不純物除去処理を行ったシリコンウエーハに、ＲＣＡ洗浄を行うことを特徴とする請求項１に記載のシリコンウエーハの研磨方法。
【請求項３】
前記仕上げ研磨を行ったシリコンウエーハに、仕上げ洗浄を行うことを特徴とする請求項１または請求項２に記載のシリコンウエーハの研磨方法。
【請求項４】
請求項１から請求項３のいずれか一項に記載のシリコンウエーハの研磨方法により鏡面研磨工程を施したシリコンウエーハの表面に、エピタキシャル層を形成することを特徴とするエピタキシャルウエーハの製造方法。
【発明の詳細な説明】
【技術分野】
【０００１】
本発明は、シリコンウエーハの研磨方法およびエピタキシャルウエーハの製造方法に関する。
【背景技術】
【０００２】
半導体シリコンウエーハのエピタキシャル成長工程において発生するエピタキシャル層の凹凸は、前工程の鏡面研磨工程で発生するキズやＰＩＤ（Ｐｏｌｉｓｈｉｎｇ  Ｉｎｄｕｃｅｄ  Ｄｅｆｅｃｔ）に由来することが公知である。
【０００３】
鏡面研磨後のウエーハ上でのキズは結晶欠陥である転位を伴っている。さらには、このキズが導入されたウエーハ上にエピタキシャル成長を行うと、転位が伝播してエピタキシャル層にも転位が生じ、エピタキシャル層の品質も劣化する。このことから、鏡面研磨後でエピタキシャル成長前のウエーハは、キズの無いウエーハであることが重要である。
【０００４】
図７は、鏡面研磨後のウエーハ（ポリッシュドウェーハ）上にキズなどの歪が残っているものにエピタキシャル成長を行ったときに発生する、エピタキシャル層中のエピタキシャル欠陥を捕らえたものである。なお左下の拡大図は、エピタキシャル層と基板界面付近に歪が存在している様子を示している。
【０００５】
一方、ＰＩＤ上にエピタキシャル成長を行うとエピタキシャル層の最表面にＰＩＤの形状を反映した凸部（突起）が発生することが確認される。また、この凸部直下のエピタキシャル層内部には転位等の欠陥は存在せず、結晶性に乱れのないエピタキシャル層であることが確認できる。
【０００６】
図８（Ａ）は、ポリッシュドウェーハ上にあるＰＩＤをレーザー顕微鏡（レーザーテック社製のＭＡＧＩＣＳ）で観察したイメージであり、図８（Ｂ）は、その上にエピタキシャル成長を行ったときの同点座標の観察イメージである。エピタキシャル成長後のイメージにあるように、ＰＩＤに起因する突起が見られる。
【０００７】
図９は、ＰＩＤが確認されたウェーハにエピタキシャル成長を行い、ＰＩＤと同点座標に観察される凸状のエピタキシャル層の断面をＴＥＭ観察した結果である。エピタキシャル層中は無欠陥であるが、エピタキシャル層の最表面のみ幅２００ｎｍにわたって凸形状を示しており、その高さは２〜３ｎｍ程度であることが分かる。
【０００８】
従来技術では、キズ系の欠陥については、鏡面研磨における取り代を充分に確保することで低減することができる。
一方、ＰＩＤに関しては、特許文献１など様々な方法を用いて研磨装置や研磨布等を十分管理したうえで減少させる手法が主流である。また、ＰＩＤに対する従来技術では、鏡面研磨後、エピタキシャル成長直前に特許文献２のような洗浄を行うことも挙げられる。
【先行技術文献】
【特許文献】
【０００９】
【特許文献１】特開２００８−２０５１４７号公報
【特許文献２】国際公開第２０１０／１５０５４７号
【発明の概要】
【発明が解決しようとする課題】
【００１０】
上記のように、従来ではＰＩＤ対策として特許文献１、２のような手法がとられているものの、ポリッシュドウエーハや、その上にエピタキシャル層が形成されたエピタキシャルウエーハの表面品質の悪化を防ぐには不十分であった。
【００１１】
そこで本発明者はＰＩＤについて調査を行った。
まず、シリコンインゴットをスライスし、研削等を行った後、鏡面研磨を施したシリコンウエーハの表面に存在するＰＩＤに関して、直接ＳＥＭ（Ｓｃａｎｎｉｎｇ  Ｅｌｅｃｔｒｏ  Ｍｉｃｒｏｓｃｏｐｙ）観察及びＥＤＸ（Ｅｎｅｒｇｙ  Ｄｉｓｐｅｒｓｉｖｅ  Ｘ−ｒａｙ  ｓｐｅｃｔｒｏｓｃｏｐｙ）分析を行うとＰＩＤ部から金属を示す発生Ｘ線のピークが検出された。
図３（Ａ）に示す例では、シリコンの他、金属不純物のＺｒ（２．０４２ｋｅＶ）が検出された。また、図３（Ｂ）に示す例では金属不純物のＮｉ（０．８５１ｋｅＶ）が検出された。
【００１２】
なお、同様な分析をスクラッチ及びキズの部分で行った場合も同じように金属のピークが得られた。
図４に示すキズの中から金属不純物のＮｉが検出された。
【００１３】
また、さらにＰＩＤについて調査をすすめ、ＰＩＤの断面構造をＴＥＭにて観察すると、ＰＩＤの全高３〜６ｎｍの内、上層部の２ｎｍ程度は金属付着物であることがＥＤＸ分析で明らかとなった。
図５（Ａ）はＰＩＤのＳＥＭ像であり、図５（Ｂ）はそのＰＩＤの断面ＴＥＭ観察像であり、図５（Ｃ）はその拡大図である。また図５（Ｄ）はＰＩＤ最表層部のＥＤＸ分析結果である。ＥＤＸ分析結果のように、ＰＩＤの表層の部分からＺｒが検出された。
【００１４】
なお、この他、調査で検出できた金属種はＦｅ、Ｎｉ、Ｚｒであった。
これらは研削砥石成分の分析結果及び砥粒の分析結果とも一致する。表１に研削砥石の成分分析を示す。
【００１５】
【表１】
2014212213.tif 000003
【００１６】
前述した金属不純物がＰＩＤに付着するメカニズムは以下のように推察される。このメカニズムの概略を図６に示す。
まず、シリコン単結晶をワイヤーソーにてウェーハにスライスする。本工程ではスライスワイヤー及びスラリーの砥粒及びその圧力によりウエーハに加工ダメージが導入される。
【００１７】
そして、洗浄後、加工ダメージを除去するために酸もしくはアルカリ溶液によりエッチングを行い、導入されたダメージを強制的に除去する。このときダメージの全てが取りきれない場合や、スライス時に導入されたひび割れのように延びた、いわゆるクラックは除去しきれない場合がある。
【００１８】
さらにその後、砥石や砥粒による研削もしくは、ラップあるいはその両方によって残留する歪の除去を行う。前述の工程では除去される歪がある一方、新たに歪が導入される。これによってスライス工程で導入され残留してしまう歪と、研削もしくはラップによって導入される歪とが複合歪として残留することになる。洗浄後、次工程に送られる。
【００１９】
そして前記複合歪の隙間に前述した金属不純物が取り込まれ、残留歪が次の研磨工程によって除去される際、金属不純物が表層に現れると金属の硬度とシリコンの硬度差によって研磨代に差が生じ、ＰＩＤになると本発明者は推察した。
【００２０】
一般的に金属不純物は各種洗浄工程で除去されることがあるが、導入された歪のわずかな隙間やその構造によっては洗浄薬液の充分な対流が起こらず除去しきれないと本発明者は予見した。また、このことは、過去のＳＥＭ−ＥＤＳ分析例でウェーハ表面のキズからＮｉが検出されたことからも推察できる。
【００２１】
ここで、例えば特許文献２の鏡面研磨工程後の洗浄方法ではＰＩＤそのものは除去できるかもしれないものの、除去後のウエーハ表面に凹形状を作り込んでしまう。凹形状によっては、その後のエピタキシャル成長工程において、転位を伴うエピタキシャル欠陥を誘発する可能性がある。よって特許文献２の洗浄方法では前述したようにＰＩＤ対策としては不十分である。
【００２２】
本発明は、上記問題点に鑑みてなされたものであって、鏡面研磨工程によってシリコンウエーハにＰＩＤが発生するのを防ぐことができ、鏡面研磨工程後のシリコンウエーハや、後工程でエピタキシャル層を積層したエピタキシャルウエーハの表面品質の悪化を防ぐことができるシリコンウエーハの研磨方法およびエピタキシャルウエーハの製造方法を提供することを目的とする。
【課題を解決するための手段】
【００２３】
上記目的を達成するために、本発明は、シリコンウエーハに鏡面研磨工程を施すシリコンウエーハの研磨方法であって、前記鏡面研磨工程において、前記シリコンウエーハに粗研磨を行い、その後、シリコンウエーハの表面に対して、オゾンガスまたはオゾン水を用いた酸化処理およびフッ酸蒸気またはフッ酸水溶液を用いた酸化膜除去処理によって、シリコンウエーハの表面に付着している金属不純物を除去する処理を行ってから、仕上げ研磨を行うことを特徴とするシリコンウエーハの研磨方法を提供する。
【００２４】
このような本発明の研磨方法であれば、粗研磨後のシリコンウエーハの表面に付着した金属不純物を、オゾンガス等による強制酸化とフッ酸蒸気等による酸化膜ごとの除去で強制的に工程系外に排除することができる。
したがって、その後の仕上げ研磨において、ＰＩＤの発生要因となるシリコンウエーハ表面におけるシリコンと金属の硬度差は生じず、均一に仕上げ研磨することができる。このため、ＰＩＤも存在せず、平坦で高品質なポリッシュドウェーハを製造することができる。
さらには、このような高品質のポリッシュドウエーハを得ることができるので、後工程でエピタキシャル層を積層した場合には、表面にＰＩＤによる突起も生じず、表面品質が優れたエピタキシャルウエーハを得ることができる。
【００２５】
また、前記金属不純物除去処理を行ったシリコンウエーハに、ＲＣＡ洗浄を行うことができる。
【００２６】
このようにすれば、ウエーハ表面の有機物系パーティクルや金属パーティクルを除去することができる。
【００２７】
また、前記仕上げ研磨を行ったシリコンウエーハに、仕上げ洗浄を行うことができる。
【００２８】
このようにすれば、仕上げ研磨後のウエーハ表面上に存在する種々のパーティクルを除去することができる。
【００２９】
また、本発明は、上記シリコンウエーハの研磨方法により鏡面研磨工程を施したシリコンウエーハの表面に、エピタキシャル層を形成することを特徴とするエピタキシャルウエーハの製造方法を提供する。
【００３０】
このようなエピタキシャルウエーハの製造方法であれば、ＰＩＤの発生が抑制されたポリッシュドウエーハにエピタキシャル層を形成することができるので、ＰＩＤ起因の突起の発生が抑制された、表面品質が優れたエピタキシャルウエーハを得ることができる。
【発明の効果】
【００３１】
以上のように、本発明によれば、鏡面研磨工程において、シリコンウエーハの表面に付着した金属不純物を除去することができ、仕上げ研磨後、ＰＩＤの発生が抑制された、平坦で高品質なポリッシュドウエーハを得ることができる。また、ＰＩＤ起因の突起の発生が抑制された、表面品質が優れたエピタキシャルウエーハを得ることができる。
【図面の簡単な説明】
【００３２】
【図１】本発明のシリコンウエーハの研磨方法およびエピタキシャルウエーハの製造方法における処理工程の一例を示すフロー図である。
【図２】実施例、比較例における粗研磨後のシリコンウエーハ、ポリッシュドウエーハ、エピタキシャルウエーハの表面検査結果である。
【図３】ＰＩＤ部からの金属を示す発生Ｘ線のピークの一例を示す測定図である。（Ａ）Ｚｒの検出例、（Ｂ）Ｎｉの検出例。
【図４】キズの観察図およびキズからの金属（Ｎｉ）を示す発生Ｘ線のピークの一例を示す測定図である。
【図５】（Ａ）ＰＩＤのＳＥＭ像である。（Ｂ）ＰＩＤの断面ＴＥＭ観察像であり、（Ｃ）はその拡大図である。（Ｄ）ＰＩＤ最表層部のＥＤＸ分析結果である。
【図６】金属不純物がＰＩＤに付着するメカニズムの概略を示す説明図である。
【図７】エピタキシャル層中のエピタキシャル欠陥の一例を示す観察図である。
【図８】（Ａ）ポリッシュドウェーハ上にあるＰＩＤの観察図である。（Ｂ）エピタキシャル成長を行ったときの同点座標にある突起の観察図である。
【図９】ＰＩＤが確認されたシリコンウェーハにエピタキシャル成長を行い、ＰＩＤと同点座標に観察される凸状のエピタキシャル層の断面の観察図である。
【発明を実施するための形態】
【００３３】
以下、本発明について、実施態様の一例として、図を参照しながら詳細に説明するが、本発明はこれに限定されるものではない。
本発明者はシリコンウエーハ表面のＰＩＤについて鋭意研究を行った。その結果、スライス工程、研削・ラップ工程等により生じた複合歪に金属不純物が取り込まれ、鏡面研磨工程において複合歪を除去する際、金属とシリコンの硬度差によって研磨代に差が生じてＰＩＤが発生することが分かった。
また、例えば特許文献２のような洗浄方法では、洗浄後のポリッシュドウエーハに凹形状が生じてしまうし、その後のエピタキシャル成長工程において転位を伴うエピタキシャル欠陥を誘発してしまい、ＰＩＤ対策としては不十分である。
【００３４】
そこで本発明者は、粗研磨後、オゾンガスを用いた処理などを行うことによって金属不純物を除去してから仕上げ研磨すれば、ＰＩＤの発生が抑制され、上記のような凹形状もない表面品質が高いポリッシュドウエーハやエピタキシャルウエーハを得ることができることを見出し、本発明を完成させた。
【００３５】
図１は、本発明のシリコンウエーハの研磨方法およびエピタキシャルウェーハの製造方法における処理工程の一例を示すフロー図である。
（スライス工程）
チョクラルスキー法等により製造したシリコンインゴットをワイヤーソーによりウエーハ状にスライスする。
（研削・ラップ工程）
得られたスライスウエーハに対し、加工ダメージ除去のためのエッチングを行った後、研削工程もしくはラップ工程、またはそれら両方の工程を施す。
【００３６】
なお、これらの工程の前後において、必要に応じて適宜洗浄を行うことができる。例えば図１に示すように、研削・ラップ工程後、ＲＣＡ洗浄を行うことができる。これにより、ウェーハ表面の有機物系パーティクルや金属パーティクル等を除去することができる。
【００３７】
（鏡面研磨工程）
＜粗研磨＞
次に鏡面研磨工程を施す。この鏡面研磨工程において、まず粗研磨を行う。
粗研磨では、例えば、回転可能な定盤上に貼り付けられた研磨布と、研磨ヘッドのウエーハ支持盤に支持されたシリコンウエーハとを適切な圧力で接触して研磨する。この際に、コロイダルシリカを含有したアルカリ溶液（研磨スラリー、研磨剤などと呼ばれる）が用いられている。このような研磨剤を研磨布とシリコンウエーハの接触面に添加することにより、研磨スラリーとシリコンウエーハがメカノケミカル作用を起こし、研磨が進行する。
【００３８】
研磨装置としては両面研磨装置、片面研磨装置のいずれを用いてもよい。また、研磨スラリーの組成、温度、研磨圧力、研磨代、研磨速度等の各種条件も特に限定されない。
さらには、この粗研磨として、一段階の研磨のみならず、複数段階の研磨を行うこともできる。例えば二段階に分けて、２次研磨では１次研磨よりも目の細かい研磨剤や研磨布を用い、段階的に粗研磨を行うことができる。
【００３９】
＜ＲＣＡ洗浄、純水洗浄＞
上記のようにして粗研磨を行った後、ＲＣＡ洗浄によりウェーハ表面の有機物系パーティクルや金属パーティクル等を除去する。その後、純水にてリンスを行う（純水洗浄）。リンス工程はバッチ式で用いられる浸漬流水によるオーバーフロー方式もしくは噴射式のどちらでも構わない。
【００４０】
＜フッ酸処理、純水洗浄＞
そして、フッ酸水溶液に浸漬もしくはフッ酸水溶液を噴射させ、ウエーハ表面のシリコン酸化物を除去する。このフッ酸水溶液の溶液濃度は例えば１〜５％程度の濃度で使用することができるが、特にこの濃度に限定されるものではない。フッ酸濃度が必要以上に高いために新たなパーティクルの付着が促進されるのを効果的に防ぐため、好ましくは５％以下にすると良い。フッ酸水溶液への浸漬時間もしくはフッ酸水溶液の噴射時間は濃度により変化させることができるが、目安としては、例えばシリコンウェーハ表面が撥水性になる程度の時間を設定することができる。浸漬時間や噴射時間も長くなるにつれてパーティクル付着が促進されるため、撥水性が確保できる最小限に設定することが望ましい。
その後、純水にてリンスを行い、スピン乾燥もしくはＩＰＡ乾燥等にてシリコンウェーハを乾燥する。
【００４１】
＜金属不純物除去処理＞
次に、シリコンウエーハの表面に付着している金属不純物を除去する処理を行う。
ここでは、オゾンガス（オゾン水）を用いた酸化処理およびフッ酸水溶液（フッ酸蒸気）を用いた酸化膜除去処理を含む場合について説明する。
まず、前述の粗研磨後、洗浄を行ったシリコンウエーハの表面をオゾンガスを用いて酸化させる。このとき、シリコンウェーハ表面において、複合歪やキズ、マイクロクラック中に埋没された金属不純物が付着している箇所も含め、シリコンは強制的に酸化されてシリコン酸化膜を形成する。特にその付着物の周りのシリコンの酸化膜成長速度は速くなる傾向にあるため、付着物を巻き込むようにシリコン酸化膜が形成される。
【００４２】
オゾンガスによる強制酸化時間は特に限定されないが、１分以上とすることで、より十分なシリコン酸化膜を形成することができる。より好ましくは３分以上とすることができる。
またオゾンガスによる強制酸化は、密閉された容器中でオゾンガスを絶えず供給しながら行うことが好ましいが、これに限定されず、開放した容器内でシリコンウエーハ表面にオゾンガスを直接噴射する方法を用いても同様の効果を得ることができる。
【００４３】
また、強制酸化はオゾンガスに限らずオゾン水によっても同様の効果を得ることができる。
このようにオゾンガス、オゾン水のいずれを用いても良いが、微細なキズなどの中に行き渡りやすいようにオゾンガスを用いる方がより好ましい。
【００４４】
その後、フッ酸水溶液に浸漬もしくはフッ酸水溶液を噴射し、強制酸化によってシリコンウエーハ表層に成長したシリコン酸化物と共に金属不純物の付着物を除去する。
また、フッ酸水溶液に限らずフッ酸蒸気によっても同様の効果を得ることができる。
このようにフッ酸水溶液、フッ酸蒸気のいずれを用いても良いが、金属不純物をウエーハ表面から除去して系外に排出する点を鑑みればフッ酸水溶液をシリコンウエーハ表面に噴射させる形態がより好ましい。
【００４５】
＜ＲＣＡ洗浄、純水洗浄＞
以上のような金属不純物除去処理を行った後、純水にてリンスを行う。そして空気中の環境パーティクルの付着を防止するため、より好ましくは水没したまま次工程の仕上げ研磨に投入する。
または、金属不純物除去処理を行った後、ＲＣＡ洗浄を施してから純水にてリンスを行うこともできる。このようにすることで、シリコンウエーハ表面のパーティクルをより一層除去してから、この後に控える仕上げ研磨を施すことができる。
【００４６】
＜仕上げ研磨＞
次に仕上げ研磨を行う。仕上げ研磨では、キズの残痕やマイクロクラック等の深さを充分に除去できる量の取り代を確保する。このときの取り代は特に限定されず、それまでの工程等により変化するものであるが、１０ｎｍ以上が好ましい。
使用する研磨装置、研磨スラリーの組成、温度、研磨圧力、研磨代、研磨速度等の各種条件も特に限定されず、従来の条件のいずれをも採用することができ、その都度決定することができる。
【００４７】
＜仕上げ洗浄＞
そして、仕上げ研磨後に仕上げ洗浄を行う。仕上げ洗浄の方法は特に限定されず、適宜決定することができる。ここではＲＣＡ洗浄および純水洗浄とした。仕上げ研磨後のウエーハ表面に存在する種々のパーティクルを除去できる洗浄方法であれば良い。
【００４８】
本発明においては、仕上げ研磨前にシリコンウエーハ表面の金属不純物を除去しているので、仕上げ研磨において、ＰＩＤの発生要因となるシリコンウエーハ表面におけるシリコンと金属の硬度差は生じない。したがって、仕上げ研磨後においては、ＰＩＤの数が極めて抑制されており、表面が均一に仕上げ研磨され、平坦で高品質なポリッシュドウエーハを得ることができる。
鏡面研磨工程後、特許文献２のような洗浄を行う必要もないし、表面に凹形状も生じることなく、表面品質が優れたポリッシュドウエーハを本発明の研磨方法により得ることができる。
【００４９】
（エピタキシャル成長工程）
そして、上記のような鏡面研磨工程を施したシリコンウエーハに対してエピタキシャル層を形成する。
エピタキシャル層の形成方法自体は特に限定されるものではなく、例えば従来と同様の方法を用いることができる。
エピタキシャル成長装置内にシリコンウエーハを配置し、例えばＨ２雰囲気中に珪素化合物ガスであるＳｉＣｌ４、ＳｉＨＣｌ３、ＳｉＨ２Ｃｌ２、ＳｉＨ４等のガスとドーパントガスであるＢ２Ｈ６ガスやＰＨ３等のガスを供給し、１０００〜１３００℃の温度域でエピタキシャル層を積層させることができる。
【００５０】
本発明においては、エピタキシャル層を形成する対象のシリコンウエーハの表面には、上記のような鏡面研磨工程を施しているためＰＩＤが存在しておらず、そのため、エピタキシャル層を形成しても、エピタキシャル層表面に、従来のようなＰＩＤ起因の突起の発生が大幅に抑制される。したがって表面品質が優れたエピタキシャルウエーハを得ることができる。
【実施例】
【００５１】
以下、実施例及び比較例を示して本発明をより具体的に説明するが、本発明はこれらに限定されるものではない。
（実施例）
本発明のシリコンウエーハの研磨方法およびエピタキシャルウエーハの製造方法を実施した。
図１に示すように、ＣＺシリコンインゴットをワイヤーソーによりウエーハ状に切り出し、そのうち、３枚のシリコンウエーハについて研削工程を施し、ＲＣＡ洗浄を行った。その後、鏡面研磨工程を施した。なお、直径３００ｍｍ、結晶方位＜１００＞のシリコンウエーハを用いた。
鏡面研磨工程では、まず粗研磨を行い、その後、ＲＣＡ洗浄、純水洗浄、フッ酸処理、純水洗浄を順に行い、粗研磨後のシリコンウエーハを得た。
【００５２】
粗研磨（１次研磨・２次研磨）の条件は以下の通りである。
まず、前処理として、研削・ラップ工程を行ったシリコンウエーハをＮａＯＨにより２０μｍのエッチングを行った。
次に、両面研磨装置で、シリコンウエーハの両面をコロイダルシリカを主成分とするアルカリ溶液の研磨剤で１次研磨を行った。最低１０μｍの研磨代であれば良く、ここでは１０μｍの研磨代とした。なお、研磨布には発泡ウレタンを用いた。
次に、片面研磨装置で、同様にポリウレタン不織布の研磨布とＮａＯＨベースのコロイダルシリカの研磨剤を用いて、研磨代１μｍ程度の２次研磨を行った。
【００５３】
そして、粗研磨後のシリコンウエーハに対して金属不純物除去処理を行った。ここでは、まず、容器内にシリコンウエーハを配置するとともに、オゾンガスを容器内に供給し続け、該オゾンガスによりシリコンウエーハの表面を酸化処理した。このオゾンガスによる強制酸化時間は３分とした。
【００５４】
次に、濃度１％のフッ酸水溶液を用意し、これをシリコンウエーハの表面に１分間噴射することにより、シリコンウエーハ表面に付着していた金属不純物をシリコン酸化膜ごと除去した。
酸化膜除去処理として、上記１分間の噴射による処理を計２回行った。
その後、純水洗浄を行った。
【００５５】
その後に仕上げ研磨を行った。この仕上げ研磨では研磨取り代を管理基準として、８０ｎｍ以上の取り代が確保できる十分な研磨量とした。そして仕上げ研磨後、ＲＣＡ洗浄および純水洗浄を行い、ポリッシュドウエーハを得た。
なお、仕上げ研磨のその他の条件は以下の通りである。
片面研磨装置で、ポリウレタンのスエードの研磨布とＮＨ４ＯＨベースのコロイダルシリカの研磨剤を用いて仕上げ研磨を行った。
なお、研磨速度は１０ｎｍ／ｍｉｎ以下とし、研磨時間は２．５分行った。
【００５６】
上記のようにして得たポリッシュドウエーハの表面にエピタキシャル層を形成した。エピタキシャル成長装置内にポリッシュドウエーハを載置し、Ｈ２雰囲気中に珪素化合物ガスであるＳｉＣｌ４を導入しつつ、１１３０℃で厚さ３μｍのエピタキシャル層を気相成長した。
このようにしてエピタキシャルウエーハを得た。
【００５７】
（比較例）
従来のシリコンウエーハの研磨方法およびエピタキシャルウエーハの製造方法を実施した。より具体的には、金属不純物除去工程を行わないこと以外は実施例と同様にしてシリコンウエーハを研磨し、直径３００ｍｍ、結晶方位＜１００＞のポリッシュドウエーハを得た。
そして、該ポリッシュドウエーハ上に、実施例と同様の条件でエピタキシャル層を気相成長し、エピタキシャルウエーハを得た。
【００５８】
ここで、実施例および比較例で得られた粗研磨後のシリコンウエーハ、ポリッシュドウエーハ、エピタキシャルウエーハについて、レーザー顕微鏡（レーザーテック社製ＭＡＧＩＣＳ）によってシリコンウエーハの表面検査を行い、研磨後に確認される欠陥数が各工程でどの程度まで低減されているかを比較した。
【００５９】
この表面検査結果を図２に示す。図２のシリコンウエーハ中の点は欠陥（ＰＩＤ等）を示している。図２に示すように、実施例での欠陥数は、粗研磨後のシリコンウエーハ、ポリッシュドウエーハ、エピタキシャルウエーハにおいて、順に、１０８０個、２６個、７個であった。また、比較例での欠陥数は、順に、１２７９個、５８５個、２２５個であった。
【００６０】
比較例では、仕上げ研磨後のポリッシュドウエーハの欠陥数が粗研磨後に対して４５％程度にまで減少しているのに対して、本発明を実施した実施例では３％程度まで減少している。
さらにエピタキシャル成長後における欠陥数について比較すると、比較例では１８％程度まで減少しているのに対して、実施例では０．６５％程度にまで減少している。実施例では比較例に対して２７倍以上の効果が得られている。
このように本発明では、ＰＩＤを含め、欠陥数を従来法よりも著しく減少させることができる。
【００６１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図１】
2014212213.tif 000004
【図２】
2014212213.tif 000005
【図３】
2014212213.tif 000006
【図４】
2014212213.tif 000007
【図５】
2014212213.tif 000008
【図６】
2014212213.tif 000009
【図７】
2014212213.tif 000010
【図８】
2014212213.tif 000011
【図９】
2014212213.tif 000012